(57)【要約】      （修正有）【課題】クラウドサービス及びクラウドモニタリングシステムと組合せた水素発生器を提供する。【解決手段】クラウドモニタリングシステムに電気結合された水素発生器１０は、水素発生デバイス、モニタリングデバイス１３、ネットワークデバイス、及び制御デバイスを備える。モニタリングデバイス１３は、水素発生デバイスの機械状態をモニターし、状態信号を発生する。ネットワークデバイスは、状態信号を含む機械情報をクラウドモニタリングシステムに選択的に送信する。制御デバイスは、ネットワークデバイスを介してクラウドモニタリングシステムから運転パラメータを受信し、運転パラメータに従って水素発生デバイスを制御する。水素発生器モニタリングシステムは、水素発生器１０を使用してユーザの関連データを収集し、ユーザの健康状態を追跡して、ビッグデータ分析を実施する。【選択図】図１
2020014848.tif 000002
【特許請求の範囲】
【請求項１】
クラウドモニタリングシステムと連携する水素発生器であって、
水素発生デバイスであって、
電気分解される水を収容するように構成される水タンク、
電気分解される水を電気分解して、水素ガスを発生するように構成される電解セル、及び、
霧状ガスを発生するように構成される噴霧器であって、水素ガスを受取り、霧状ガスを水素ガスと混合して、ユーザが吸入するための混合ガスを発生する、噴霧器
を備える、水素発生デバイスと、
水素発生デバイスに結合され、水素発生デバイスの状態信号を検出または表示するように構成されるモニタリングデバイスであって、状態信号は、水素生産情報、使用時間情報、水素濃度情報、噴霧器霧化レート 情報、または水素発生器温度情報を含む、モニタリングデバイスと、
モニタリングデバイスに電気結合されたネットワークデバイスであって、状態信号を含む機械情報をクラウドモニタリングシステムに選択的に送信する、ネットワークデバイスと、
前記ネットワークデバイスに電気結合された制御デバイスであって、前記ネットワークデバイスを介して前記クラウドモニタリングシステムから運転パラメータを受信し、前記運転パラメータに従って前記水素発生デバイスを制御するように構成される、制御デバイスとを備える、水素発生器。
【請求項２】
前記機械情報を匿名化するように構成される匿名化デバイスを更に備え、それにより、前記ネットワークデバイスは、前記匿名化された機械情報を前記クラウドモニタリングシステムに送信する、請求項１に記載の水素発生器。
【請求項３】
前記機械情報が異常情報を含むとき、前記制御デバイスは、前記クラウドモニタリングシステムによって送信される前記運転パラメータに従って前記水素発生デバイスのターンオフプロシージャまたは設定プロシージャを実行する、請求項１に記載の水素発生器。
【請求項４】
前記運転パラメータは、前記クラウドモニタリングシステムを介してモバイルデバイスによって水素発生器の前記制御デバイスに送信され、それにより、前記制御デバイスは、前記運転パラメータに従って前記水素発生デバイスのターンオフプロシージャ、ターンオフプロシージャ、または設定プロシージャを制御する、請求項１に記載の水素発生器。
【請求項５】
前記ユーザの認証情報を発生するように構成される認証入力デバイスと、
前記ユーザの生理的情報を発生するように構成される生理的情報入力デバイスとを更に備え、前記生理的情報は、血中酸素濃度値、心拍動指標、呼吸機能値、または血圧値を含み、
前記ネットワークデバイスは、前記ユーザの前記認証情報及び前記生理的情報を前記クラウドモニタリングシステムに選択的に送出する、請求項１に記載の水素発生器。
【請求項６】
前記ユーザの生理的特徴情報及び生理的情報を発生するように構成される生理的情報入力デバイスを更に備え、前記生理的情報は、血中酸素濃度値、心拍動指標、呼吸機能値、または血圧値を含み、
前記ネットワークデバイスは、前記ユーザの前記生理的特徴情報及び前記生理的情報を前記クラウドモニタリングシステムに選択的に送出する、請求項１に記載の水素発生器。
【請求項７】
前記ユーザの生理的情報を発生するように構成される生理的情報入力デバイスであって、前記生理的情報は、血中酸素濃度値、心拍動指標、呼吸機能値、または血圧値を含む、生理的情報入力デバイスと、
前記ユーザの前記生理的情報に関して匿名化プロシージャを実施して、匿名化生理的情報を発生するように構成される匿名化デバイスとを更に備え、
前記ネットワークデバイスは、前記匿名化生理的情報を前記クラウドモニタリングシステムに送信する、請求項１に記載の水素発生器。
【請求項８】
水素発生器の位置決め信号を発生するように構成される位置決めデバイスを更に備え、前記機械情報は前記位置決め信号を含み、前記位置決め信号はＧＰＳ情報または機械ネットワークアドレス情報を含む、請求項１に記載の水素発生器。
【請求項９】
請求項１に記載される複数の水素発生器をモニターするためのクラウドモニタリングシステムであって、
前記複数の水素発生器から複数の機械情報を受信するように構成されるクラウド制御コンソールと、
前記複数の水素発生器の前記複数の機械情報を記憶するように構成される一体化データベースと、
前記クラウド制御コンソールに結合され、前記複数の水素発生器の第１の水素発生器に運転パラメータを送信するように構成される遠隔送信デバイスであって、それにより、前記第１の水素発生器は、前記運転パラメータに従ってターンオフプロシージャ、ターンオフプロシージャ、または設定プロシージャを実施する、遠隔送信デバイスと、
前記複数の水素発生器の位置を表示または記録するための、前記一体化データベースに結合された位置モニタリングデバイスと、
前記一体化データベースに結合され、前記複数の機械情報を分析し確認するように構成されるデータ分析デバイスとを備える、クラウドモニタリングシステム。
【請求項１０】
前記遠隔送信デバイスは、前記第１の水素発生器に対応する機械情報のセットが異常情報を含むことを前記データ分析デバイスが確認すると、前記第１の水素発生器に前記運転パラメータを送信し、それにより、前記第１の水素発生器は、前記運転パラメータに従ってターンオフプロシージャまたは設定プロシージャを実施する、請求項９に記載のクラウドモニタリングシステム。
【請求項１１】
前記運転パラメータは、前記遠隔送信デバイスを介してモバイルデバイスによって前記第１の水素発生器に送信され、それにより、前記第１の水素発生器は、前記運転パラメータに従ってターンオフプロシージャ、ターンオフプロシージャ、または設定プロシージャを実施する、請求項９に記載のクラウドモニタリングシステム。
【請求項１２】
前記一体化データベースは、前記複数の水素発生器の複数のユーザの複数の認証情報または複数の生理的特徴情報を更に記憶し、前記複数のユーザの複数の生理的情報を記憶し、前記データ分析デバイスは、前記複数のユーザの前記複数の生理的情報を分析し、前記運転パラメータを発生する、請求項９に記載のクラウドモニタリングシステム。
【請求項１３】
前記一体化データベースは、前記複数の水素発生器の複数のユーザの複数の匿名化生理的情報を更に記憶し、前記データ分析デバイスは、前記複数のユーザの前記複数の匿名化生理的情報を分析し、前記運転パラメータを発生する、請求項９に記載のクラウドモニタリングシステム。
【請求項１４】
前記一体化データベースに記憶された前記複数の機械情報は、匿名化された機械情報である、請求項９に記載のクラウドモニタリングシステム。
【請求項１５】
前記位置モニタリングデバイスは、前記複数の水素発生器の複数の位置をマップ上に表示する、請求項９に記載のクラウドモニタリングシステム。
【請求項１６】
請求項１に記載される複数の水素発生器をモニターするためのクラウドモニタリングシステムであって、
前記複数の水素発生器の前記複数の機械情報を記憶するように構成される一体化データベースであって、利益パーソンリストを更に含む、一体化データベースと、
ユーザが第１の水素発生器のオーダー命令を入力するために構成されるオーダリングプラットフォームであって、前記オーダー命令は所定の位置情報または特定の利益パーソン情報を含む、オーダリングプラットフォームと、
前記オーダリングプラットフォームに結合され、前記オーダー命令を受信し、前記オーダー命令に従って前記第１の水素発生器の起動パラメータを発生するように構成される、クラウド制御コンソールと、
前記クラウド制御コンソールに結合され、前記クラウド制御コンソールから前記起動パラメータを受信するように構成される、遠隔送信デバイスと、
前記複数の水素発生器の位置を表示または記録するための、前記一体化データベースに結合された位置モニタリングデバイスとを備え、
前記遠隔送信デバイスは前記起動パラメータを出力し、それにより、前記第１の水素発生器は前記起動パラメータに従って起動設定プロシージャを実施する、クラウドモニタリングシステム。
【請求項１７】
前記クラウド制御コンソールは、前記第１の水素発生器の前記位置を前記所定の位置情報と比較するように構成され；前記第１の水素発生器の前記位置が前記所定の位置情報に対応する所定の位置に一致するとき、前記クラウド制御コンソールは、前記第１の水素発生器に対応する前記起動パラメータを出力するように前記遠隔送信デバイスを制御し、それにより、前記第１の水素発生器は、前記起動パラメータに従って前記起動設定プロシージャを実施する、請求項１６に記載のクラウドモニタリングシステム。
【請求項１８】
前記クラウド制御コンソールは、前記起動パラメータをモバイルデバイスまたは前記オーダリングプラットフォームに出力するように前記遠隔送信デバイスを制御する、請求項１６に記載のクラウドモニタリングシステム。
【請求項１９】
モバイルデバイスが結合されるために構成され、それにより、前記モバイルデバイスは、運転プロシージャを実施するように前記第１の水素発生器を遠隔制御する、請求項１６に記載のクラウドモニタリングシステム。
【請求項２０】
前記利益パーソンリストは推薦者リストであり、前記特定の利益パーソン情報は推薦者情報であり、前記クラウド制御コンソールは、前記オーダー命令を受信した後に前記推薦者情報を前記一体化データベースの前記推薦者リストと比較し、前記推薦者情報に従って推薦者プロフィット情報を発生する、請求項１６に記載のクラウドモニタリングシステム。
【請求項２１】
前記利益パーソンリストは販売業者リストであり、前記特定の利益パーソン情報は販売業者情報であり、前記クラウド制御コンソールは、前記オーダー命令を受信した後に前記販売業者情報を前記一体化データベースの前記販売業者リストと比較し、前記販売業者情報に従って販売業者プロフィット情報を発生する、請求項１６に記載のクラウドモニタリングシステム。
【請求項２２】
前記利益パーソンリストは販売業者リスト及び推薦者リストであり、前記特定の利益パーソン情報は販売業者情報及び推薦者情報であり、前記クラウド制御コンソールは、前記オーダー命令を受信した後に前記推薦者情報及び前記販売業者情報を前記一体化データベースの前記推薦者リスト及び前記販売業者リストと比較し、前記推薦者情報及び前記販売業者情報に従って推薦者プロフィット情報及び販売業者プロフィット情報を発生する、請求項１６に記載のクラウドモニタリングシステム。
【発明の詳細な説明】
【技術分野】
【０００１】
本出願は、２０１８年７月２６日に出願された中国特許出願公開第２０１８１０８３０４６９６号明細書に基づきかつそれからの優先権を主張し、その開示は参照によりその全体が本明細書に組込まれる。
【０００２】
本発明は、水素発生器及びクラウドモニタリングシステムに関し、より詳細には、クラウドサービス及び複数の水素発生器をモニターすることが可能なクラウドモニタリングシステムと組合せることが可能な水素発生器に関する。
【背景技術】
【０００３】
長い間、人々は人間生活に多くの注意を払ってきた。多くの医療技術が、疾患と戦い、人間の寿命を延ばすために開発されてきたが、過去のほとんどの医療処置は受動的である。すなわち、手術、薬物投与、がんの化学療法及び放射線治療、または、ナーサリー、リハビリテーション、及び慢性疾患の補正等、疾患は起こると処置される。しかしながら、近年、多くの医療専門家は、将来の罹患率を能動的に予防するために、健康食品研究、遺伝性疾患スクリーニング、及び早期予防等の予防的医療法に向けた研究を次第に行ってきた。さらに、人間の寿命を延ばすために、スミアケア製品及び酸化防止食品／薬物を含む多くの老化防止及び酸化防止技術が開発され、大衆によって広く使用されてきた。
【０００４】
種々の理由（疾患、ダイエット、環境、またはライフスタイル等）で人間身体によって生成されるフリーラジカル（有害なフリーラジカル）としても知られる不安定な酸素が、水の一部を形成する吸入された水素と混合され、その後、人間身体内のフリーラジカルの数が減少するように排泄されて、酸化及び老化に抗し、慣性疾患をなくし、ビューティーケア効果を達成することができることを調査が見出した。高濃度酸素の長期呼吸によって引起される肺損傷を有する一部の長期の寝たきりの患者が、水素を吸入することによって救済される可能性があることを臨床試験が示した。
【先行技術文献】
【特許文献】
【０００５】
【特許文献１】中国特許出願公開第２０１８１０８３０４６９６号明細書
【発明の概要】
【発明が解決しようとする課題】
【０００６】
上記理由に基づいて、近年、水素に関する研究が絶え間なく続けられ、水素を発生する関連製品が、大幅に開発され、製造されている、しかしながら、水素を吸入する個人の反応は、それぞれの人の肉体的状態に応じて変動する場合があるが、製品のほとんどは、製造及び販売に限定される。使用後の顧客の応答及び生理的変化についての対応する販売後サービス及び追跡は全く存在せず、それは、健康保護全体の明らかな欠点である。
【課題を解決するための手段】
【０００７】
上記で述べた問題に応答して、本発明の目的は、クラウドモニタリングシステムと連携する水素発生器を提供することである。水素発生器は、水素発生デバイス、モニタリングデバイス、ネットワークデバイス、及び制御デバイスを備える。モニタリングデバイスは水素発生デバイスに結合され、ネットワークデバイスはモニタリングデバイスに電気結合され、制御デバイスはネットワークデバイスに電気結合される。水素発生器は、ユーザが吸入するための水素を発生するように構成され、水素発生器は、水タンク、電解セル、及び、噴霧器を備える。水タンクは電気分解される水を収容するように構成される。電解セルは、電気分解される水を電気分解して、水素ガスを発生するように構成される。噴霧器は、霧状ガスを発生し、水素ガスを受取り、水素ガスと混合して、ユーザが吸入するための混合ガスを発生するように構成される。モニタリングデバイスは、水素発生デバイスの状態信号を検出または表示するように構成されることができ、ネットワークデバイスは、状態信号を含む機械情報をクラウドモニタリングシステムに選択的に送信することができる。制御デバイスは、ネットワークデバイスを介してクラウドモニタリングシステムから運転パラメータを受信し、運転パラメータに従って水素発生デバイスを制御するように構成されることができる。
【０００８】
そこでは、状態信号は、水素生産情報、使用時間情報、水素濃度情報、噴霧器霧化レート 情報、または水素発生器温度情報を含むことができる。
【０００９】
本発明の他の目的は、上記した複数の水素発生器をモニターするためのクラウドモニタリングシステムを提供することである。クラウドモニタリングシステムは、クラウド制御コンソール、一体化データベース、遠隔送信デバイス、位置モニタリングデバイス、及びデータ分析デバイスを備える。遠隔送信デバイスはクラウド制御コンソールに結合され、位置モニタリングデバイスは一体化データベースに結合され、データ分析デバイスは一体化データベースに結合される。クラウド制御コンソールは、複数の水素発生器から複数の機械情報を受信するように構成され、一体化データベースは複数の機械情報を記憶するように構成される。遠隔送信デバイスは、複数の水素発生器の第１の水素発生器に運転パラメータを送信するように構成されることができ、それにより、第１の水素発生器は、運転パラメータに従ってターンオンプロシージャ、ターンオフプロシージャ、または設定プロシージャを実施することができる。位置モニタリングデバイスは、複数の水素発生器の位置を表示または記録するように構成されることができ、データ分析デバイスは、複数の機械情報を分析し確認するように構成されることができる。
【００１０】
本発明の他の目的は、上記した複数の水素発生器をモニターするためのクラウドモニタリングシステムを提供することである。クラウドモニタリングシステムは、一体化データベース、オーダリングプラットフォーム、クラウド制御コンソール、遠隔送信デバイス、及び位置モニタリングデバイスを備える。オーダリングプラットフォームはネットワークを介して一体化データベースに結合され、遠隔送信デバイスはクラウド制御コンソールに結合され、位置モニタリングデバイスは一体化データベースに結合される。一体化データベースは、複数の水素発生器の複数の機械情報を記憶するように構成され、クラウド制御コンソールは複数の機械情報にそれぞれ対応する複数の起動パラメータを発生するように構成され、複数の水素発生器は、起動パラメータに従って起動設定プロシージャを実施することができる。オーダリングプラットフォームは、ユーザが、オーダー命令を入力し、オーダー命令をクラウド制御コンソールに送信するために構成され、そこでは、オーダー命令は所定の位置情報を含む。位置モニタリングデバイスは複数の水素発生器の位置を表示するように構成されることができる。
【００１１】
この実施形態において、クラウド制御コンソールが、複数の水素発生器の第１の水素発生器の位置を所定の位置情報と比較すると、結果が照合される。その後、クラウド制御コンソールは、第１の水素発生器に対応する起動パラメータを出力するように遠隔送信デバイスを制御する。それにより、第１の水素発生器は、起動パラメータに従って起動設定プロシージャを実施することができる。  
【００１２】
従来技術と比較して、本発明の水素発生器のクラウドモニタリングシステムは、水素発生器のモニタリングデバイスを使用して、水素発生器の機械情報を収集し、生理的情報入力デバイスを使用して、ユーザの生理的情報を追跡する。本発明の水素発生器のクラウドモニタリングシステムは、ビッグデータ分析のために機械情報及び生理的情報を使用し、分析結果を、製品改良、販売後サービス、及び更に医療研究に適用する。
【００１３】
実施形態の幾つかは、同様の指定が同様の部材を示す以下の図を参照して詳細に述べられる。
【図面の簡単な説明】
【００１４】
【図１】本発明の一実施形態による水素発生器のクラウドモニタリングシステムを示す機能ブロック図である。
【図２】本発明の一実施形態による水素発生器のクラウドモニタリングシステムを示す機能ブロック図である。
【図３】本発明の一実施形態による水素発生器のクラウドモニタリングシステムを示す略図である。
【図４】本発明の一実施形態による水素発生器のクラウドモニタリングシステムを示す機能ブロック図である。
【図５】本発明の一実施形態による水素発生器のクラウドモニタリングシステムの位置モニタリングデバイスを示す略図である。
【図６】本発明の一実施形態による水素発生器の修理センターを示す機能ブロック図である。
【図７】本発明の一実施形態によるクラウドモニタリングシステム及び水素発生器を示す機能ブロック図である。
【図８】本発明の一実施形態によるクラウドモニタリングシステム及び水素発生器を示す機能ブロック図である。
【図９】本発明の別の実施形態によるクラウドモニタリングシステム及び水素発生器を示す機能ブロック図である。
【発明を実施するための形態】
【００１５】
本発明の利点、趣旨、及び特徴は、次の通りに実施形態及び図によって説明され論じられる。
【００１６】
本発明を利用するために、趣旨及び特徴が、より容易にかつ明確に理解されることができ、詳細な説明及び議論が、特定の実施形態よってまた添付図を参照して続かれることになる。特定の実施形態が、単に本発明の特定の実施形態を示し、特定の方法、デバイス、状態、材料、及び同様なものが本発明または対応する実施形態を制限することを意図されないことが留意される。さらに、図のデバイスは、それらの相対的位置を表すために単に使用され、それらの実際の比率で描かれていない。
【００１７】
図１を参照されたい。図１は、本発明の一実施形態による水素発生器のクラウドモニタリングシステム１を示す機能ブロック図である。本発明は、水素発生器１０、生理的情報入力デバイス２０、及びクラウド制御コンソール３０を備える水素発生器のクラウドモニタリングシステム１を提供する。水素発生器１０は、ユーザが吸入するための水素を発生するように構成され、水素発生器１０は、水タンク１１、電解セル１２、モニタリングデバイス１３、位置決めデバイス１４、及びネットワーク送信デバイス１５を備える。水タンク１１は電気分解される水を収容するように構成される。電解セル１２は、電気分解される水を電気分解して、水素ガスを発生するように構成される。モニタリングデバイス１３は状態信号を検出するように構成される。位置決めデバイス１４は水素発生器の位置決め信号を発生するように構成される。ネットワーク送信デバイス１５はモニタリングデバイス１３に電気結合され、位置決めデバイス１４は、状態信号及び位置決め信号を含む機械情報Ｓ１をクラウド制御コンソール３０に送信するように構成される。生理的情報入力デバイス２０は、機械情報Ｓ１及び生理的情報Ｓ２を受信するように構成され、機械情報Ｓ１及び生理的情報Ｓ２を使用してデータ分析を実施する。
【００１８】
そこでは、状態信号は、水素発生器に組込まれた複数のセンサによって検知され得る水素生産情報、使用時間情報、水素濃度情報、水素発生器ガス圧情報、または水素発生器温度情報等を含む。水素生産情報は、１分当たりの平均水素生産、総合水素生産、または最大水素生産等である可能性がある。使用時間情報は、平均日単位使用時間、使用期間、または総使用時間である可能性がある。水素濃度情報は、水素発生器に組込まれた水素濃度センサによって測定される可能性がある。水素発生器ガス圧情報は、水素発生器に組込まれた圧力センサによって測定される可能性がある。水素発生器温度情報は、水素発生器のモーター温度情報、電解水温度情報、または水素温度情報を含み得るが、それに限定されない。
【００１９】
生理的情報Ｓ２は、高さ値、体重値、年齢、性別、血中酸素濃度値、血糖値、呼吸機能値、血圧値、及びＸ線写真等の生理的関連情報を含む可能性がある。特定の実施形態において、生理的情報入力デバイス２０は、生理的情報Ｓ２をユーザが手作業で入力し、水素発生器１０と有線または無線方式で通信する可能性がある。生理的情報Ｓ２は、水素発生器１０のネットワーク送信デバイス１５によってクラウド制御コンソール３０に送信される。他の実施形態において、生理的情報入力デバイス２０は生理的情報センサである可能性があり、生理的情報センサは水素発生器１０と有線または無線方式で通信する。生理的情報Ｓ２は、ネットワーク送信デバイス１５によってクラウド制御コンソール３０に送信される。酸素マスクまたは心拍数計等の生理的情報センサは水素発生器１０に有線方式で電気結合される。無線送信機能を有する家庭用検出機器（例えば、血圧機械または計量機）または装着可能デバイス（例えば、スマートリストバンド）等の生理的情報センサは水素発生器１０に無線方式で電気結合される。他の実施形態において、生理的情報センサは、それ自身、例えば、医療レベル専門検出機器（例えば、核磁気共鳴機器、超音波検出器）によってクラウド制御コンソール３０に生理的情報Ｓ２をアップロードするための送信デバイスを有し、それは、ユーザにとって好都合である。機器が病院で使用されるとき、生理的情報Ｓ２は、クラウド制御コンソール３０に直接アップロードされる可能性がある。
【００２０】
図２を参照されたい。図２は、本発明の一実施形態による水素発生器のクラウドモニタリングシステム１を示す機能ブロック図である。一実施形態において、水素発生器１０は認証入力デバイス１６を備え、クラウド制御コンソール３０は一体化データベース３１を備える。ユーザは、ネットワークを通してクラウド制御コンソール３０に電気結合され、一体化データベース３１においてユーザアカウントを確立する。ユーザアカウントは、基本情報（例えば、年齢、性別、及び医療履歴）、ユーザによる水素発生器の識別子、及び少なくとも１つの認証情報を含む。そこでは、認証情報は、パスワード、指紋認証、瞳孔認証、音声認証、ＵＳＢ認証、携帯電話認証、アプリケーション認証、デバイス識別コード認証等であり得るが、それに限定されない。ユーザが水素発生器１０を使用するとき、ユーザは、認証入力デバイス１６を介して第１の認証情報を入力する。第１の認証情報は、機械情報Ｓ１に含まれ、クラウド制御コンソール３０に送信される。クラウド制御コンソール３０は、機械情報Ｓ１の第１の認証情報をユーザアカウントに含まれる認証情報と比較する。第１の認証情報がユーザアカウントの認証情報の少なくとも１つに一致する場合、機械情報Ｓ１が一体化データベース３１のユーザアカウントに記憶される。同様に、ユーザが生理的情報入力デバイス２０を使用するとき、生理的情報Ｓ２は水素発生器１０に送信される。ユーザは、水素発生器１０の認証入力デバイス１６を介して第２の認証情報を入力する可能性がある。第２の認証情報は、生理的情報Ｓ２に含まれ、クラウド制御コンソール３０に送信される。クラウド制御コンソール３０は機械情報Ｓ２の第２の認証情報をユーザアカウントに含まれる認証情報と比較する。第２の認証情報がユーザアカウントの認証情報の少なくとも１つに一致する場合、機械情報Ｓ２が一体化データベース３１のユーザアカウントに記憶される。他の実施形態において、ユーザは、生理的情報入力デバイス２０を介して第２の認証情報を入力する可能性がある。第２の認証情報は、生理的情報Ｓ２に含まれ、水素発生器１０に送信され、生理的情報Ｓ２は、水素発生器１０のネットワーク送信デバイス１５を介してクラウド制御コンソール３０に送信される。そこでは、第２の認証情報は、ユーザの生理的特徴情報、設定用パスワード、指紋情報認証、瞳孔情報認証、音声情報認証、ＵＳＢ情報認証、携帯電話認証、アプリケーション認証、デバイス識別コード認証等であるが、それに限定されない。第１の認証情報は、第２の認証情報と同じ認証情報であり得る。
【００２１】
１つの特定の実施形態において、水素発生器１０及び生理的情報入力デバイス２０について単一ユーザのみが存在するとき、ユーザアカウントに電気結合される機械識別コード及びデバイス識別コードは、認証ステップなしで、クラウド制御コンソール３０によって設定される可能性がある。例えば、ユーザＡは、ユーザアカウントＢを確立し、スマートブレスレットのデバイス識別コードをユーザアカウントＢに接続する。クラウド制御コンソール３０が、スマートブレスレットのデバイス識別コードを含む生理的情報Ｓ２を受信すると、生理的情報Ｓ２はユーザアカウントＢに自動的に記憶される。そこでは、デバイス識別コードは一意のシリアル番号である可能性がある。
【００２２】
図３を参照されたい。図３は、本発明の一実施形態による水素発生器のクラウドモニタリングシステム１を示す略図である。一実施形態において、本発明の水素発生器のクラウドモニタリングシステム１は、ユーザ４０（ａ）、ユーザ４０（ｂ）、ユーザ４０（ｃ）を含む複数のユーザ、水素発生器１０（ａ）、水素発生器１０（ｂ）、生理的情報入力デバイス２０（ａ）、生理的情報入力デバイス２０（ｂ）、及び生理的情報入力デバイス２０（ｃ）に適用される。この実施形態において、それぞれのユーザは少なくとも１つの認証情報を有し、それぞれの水素発生器は機械識別コードを有する。機械識別コードと協働するそれぞれのユーザの認証情報を使用することによって、複数の水素発生器及び複数の生理的情報入力デバイスを使用して複数のユーザの識別機能を実現することが可能である。
【００２３】
図４及び図５を参照されたい。図４は、本発明の一実施形態による水素発生器のクラウドモニタリングシステム１を示す機能ブロック図である。図５は、本発明の一実施形態による水素発生器のクラウドモニタリングシステム１の位置モニタリングデバイス３４を示す略図である。１つの特定の実施形態において、クラウドモニタリングシステム１は、位置モニタリングデバイス３４を備え、位置決めデバイス１４はＧＰＳ（：Ｇｌｏｂａｌ  Ｐｏｓｉｔｉｏｎ  ｓｙｓｔｅｍ、全地球測位システム）位置決めデバイスまたは機械ネットワークアドレス情報を発生する位置決めデバイスである可能性がある。位置モニタリングデバイス３４は、水素発生器１０の位置決め信号３６を検出するように構成され、機械情報Ｓ１を含む位置決め信号３６をクラウド制御コンソール３０に送信する。図５に示すように、位置モニタリングデバイス３４は、デジタルワールドマップである可能性があり、デジタルワールドマップは、総合水素生産及び運転中の機械の数等の種々の情報を表示する可能性がある。クラウド制御コンソール３０が機械情報Ｓ１を受信すると、機械情報Ｓ１の位置決め信号３６は、位置モニタリングデバイス３４の対応する位置内でマーク付けされる。位置モニタリングデバイス３４において、位置決め信号３６のそれぞれのマーク付けポイントは運転中の水素発生器１０を示す。実際のアプリケーションにおいて、位置モニタリングデバイス３４内に示される位置決め信号３６は、クラウド制御コンソール３０によって、１つの水素発生器１０だけでなくより多くの水素発生器１０をも示す１つのマーク付けポイントを設定される可能性がある。実際のアプリケーションにおいて、位置モニタリングデバイス３４内で示す位置決め信号３６は、マーク付けポイントを通して異なる信号を同様に伝達する可能性がある。例えば、マーク付けポイントちらつきが機械故障を示し得るとき、マーク付けポイントのカラー変化は、水素生産量が平均値より小さいことを示し得、それに限定されない種々の情報が、マーク付けポイントによって伝達され得る。
【００２４】
１つの特定の実施形態において、ユーザまたは管理者は、クラウド制御コンソール３０にアクセスすることによってユーザアカウントの履歴情報または統計データを閲覧し得る。ユーザは、認証情報を入力することによってアクセスすることを認可されるパーソナルユーザアカウントまたはユーザアカウントにアクセスし、過去３か月の平均血圧値、１年における体重変化、使用される水素発生器の累積水素生産量、及び、吸入水素と血圧変化の比較チャート等の関連履歴情報にアクセスし得る。管理者は、クラウド制御コンソール３０にアクセスすることによって、（使用されたまたは損傷された）機械の状態、使用のエリア、ユーザのタイプ（異なる疾患、性別、年齢等）、水素生産の平均量、及び使用時間に依存するような、異なるタイプの統計データを表示しようと決めることができる。１つの特定の実施形態において、管理者は、データ分析のために、管理者によって閲覧されることを認可されるパーソナルユーザアカウントに同様にアクセスし、ユーザに適切なフィードバックを与えることができる。例えば、クラウド制御コンソール３０は、機械情報Ｓ１及びユーザによって提供される生理的情報Ｓ２及びユーザに対するフィードバックに従って、ユーザの推奨使用時間及び機械設定パラメータを計算することができる。他の特定の実施形態において、管理者は、クラウド制御コンソール３０を通してビッグデータ分析のために匿名化ユーザデータを読取ることができる、または、ユーザは、データをアップロードする前に匿名化処理を実施して、ユーザプロファイルのセキュリティを保護する。
【００２５】
図６を参照されたい。図６は、本発明の一実施形態による水素発生器の修理センター３８を示す機能ブロック図である。一実施形態において、本発明の水素発生器の遠隔制御システム２は、水素発生器１０及びクラウド制御コンソール３０を備え；クラウド制御コンソール３０は修理センター３８を含む。水素発生器１０は、ユーザが吸引するための水素を発生するように構成され、水素発生器１０は、水タンク１１、電解セル１２、モニタリングデバイス１３、位置決めデバイス１４、ネットワーク送信デバイス１５、及び制御デバイス１７を備える。水タンク１１は電気分解される水を収容するように構成される。電解セル１２は、電気分解される水を電気分解して、水素ガスを発生するように構成される。モニタリングデバイス１３は状態信号を検出するように構成される。位置決めデバイス１４は水素発生器の位置決め信号を発生するように構成される。ネットワーク送信デバイス１５は、状態信号及び位置決め信号を含む機械情報Ｓ１をクラウド制御コンソール３０に送信するように構成され、クラウド制御コンソール３０から送出される制御信号Ｓ３を受信するように構成される。制御デバイス１７は、制御信号Ｓ３を受信し、制御信号Ｓ３に従って水素発生器１０を働かせるように構成される。
【００２６】
１つの特定の実施形態において、クラウド制御コンソール３０は、機械情報Ｓ１を受信し、状態信号をモニターする。機械が異常であること、そして、耐用年数の終了、異常な水素生産量、機械の異常な温度、及び異常な水素濃度等の異常状態を状態信号が示す場合、クラウド制御コンソール３０は、修理情報を修理センター３８に送信する。修理情報は、異常な水素発生器の位置決め信号、ユーザ（購入者）連絡先情報、及び異常診断を含む。修理センター３８は、修理情報を受信し、修理情報の異常診断に従って異常状態を確認する。異常状態が非ハードウェア施設異常であることが確認される場合、制御情報Ｓ３が、クラウド制御コンソール３０を通して水素発生器１０のネットワーク送信デバイス１５に送出される。制御デバイス１７は、ネットワーク送信デバイス１５に電気結合され、ネットワーク送信デバイス１５によって制御情報Ｓ３を受信する。制御デバイス１７は、制御情報Ｓ３のコンテンツに従って異常状態トラブルシューティングを実施するように水素発生器１０を働かせる。制御デバイス１７は、制御情報Ｓ３に従って、水素発生器１０のターンオン及びターンオフ、流量設定、システムオプション設定、及びシステム内部コード設定等の運転プログラムを実施することができる。
【００２７】
１つの特定の実施形態において、修理センター３８は、修理情報の異常診断に従って異常事象のリスクレベルを確認する。リスクレベルが高い場合、修理センター３８は、遠隔制御を通して初期処置を実施する。リスクレベルが低い場合、修理センター３８は、ユーザに対して連絡をとって、機械の異常状態を説明し、修理時間を予約する。上記特定の実施形態において、ユーザは、ユーザのプライバシーを保護するために遠隔制御に同意するか否かを設定する権利を有する。
【００２８】
１つの特定の実施形態において、ユーザは、ターンオン及びターンオフ等の単純な操作についてモバイルデバイスを通して実施することを認可された水素発生器１０の制御デバイス１７に制御情報Ｓ３を送信することができる。
【００２９】
１つの特定の実施形態において、本発明の水素発生器のクラウドモニタリングシステム１は、ビッグデータ分析のために機械情報Ｓ１及び生理的情報Ｓ２を使用し、そのビッグデータ分析は、医療研究、例えば、水素を吸入した後にパーキンソン病を患う患者について症状を改善するためにそれが有用であるか否かに関する調査に適用される。他の実施形態において、本発明の水素発生器のクラウドモニタリングシステム１は、機械情報Ｓ１及び生理的情報Ｓ２を分析し、その分析は、その後、販売後サービスのために適用される。例えば、水素発生器のクラウドモニタリングシステム１が水素発生器１０の異常を検出すると、システムは、修理のために積極的にユーザに連絡をとる。他の実施形態において、本発明の水素発生器のクラウドモニタリングシステム１は、機械情報Ｓ１及び生理的情報Ｓ２を用いてビッグデータ分析を実施し、ビッグデータ分析を製品改良のために適用する。例えば、データ分析は、南東海岸における水素発生器の故障の確率が高く、不調の原因がほとんど温度異常であることを示す。したがって、局所的気候環境が暑くて、不調の確率を増加さ得ることが判断されるため、機械の改良が実行される。他の実施形態において、本発明の水素発生器のクラウドモニタリングシステム１は、機械情報Ｓ１及び生理的情報Ｓ２を用いてビッグデータ分析を実施し、ビッグデータ分析をユーザのフィードバックのために適用する。例えば、ユーザは、クラウド制御コンソール３０にアクセスして、ユーザ自身の機械情報Ｓ１及び生理的情報Ｓ２を閲覧し、水素発生器を使用し始めた後の身体値のトレンドを調査することができる。他の実施形態において、本発明の水素発生器のクラウドモニタリングシステム１は、クラウド制御コンソール３０を介してビデオまたは広告メッセージを水素発生器１０にブロードキャストし、ブロードキャストメッセージは、システムアップグレード情報、新しいモデル情報、スポンサー付き広告コンテンツ情報等を含むが、それに限定されない。
【００３０】
図７及び図８を共に参照されたい。図７及び図８は、本発明の一実施形態によるクラウドモニタリングシステム４０及び水素発生器５０を示す機能ブロック図である。図面の簡略化のために、クラウドモニタリングシステム４０の内部詳細構造は図７では省略され、水素発生器５０の内部詳細構造は図８では省略される。図７に示すように、クラウドモニタリングシステム４０及び水素発生器５０はネットワークによって相互接続されるため、水素発生器５０は機械情報Ｓ１をクラウドモニタリングシステム４０に送信することができる。さらに、クラウドモニタリングシステム４０は、図８に示すように、ネットワークを通して複数の水素発生器５０に同時に結合することができる。しかしながら、図を明確にするために、図７は、１つの水素発生器５０を示すだけである。クラウドモニタリングシステム４０は、それぞれの水素発生器５０によってそれぞれ送信される機械情報Ｓ１を受信し、その後、機械情報Ｓ１のビッグデータ分析を実施し、対応する運転パラメータをそれぞれの水素発生器５０に送信することができる。
【００３１】
この実施形態において、水素発生器５０は、水素発生デバイス５００、モニタリングデバイス５０１、ネットワークデバイス５０２、及び制御デバイス５０３を備える。そこでは、モニタリングデバイス５０１は水素発生デバイス５００に結合される。ネットワークデバイス５０２はモニタリングデバイス５０１に電気結合され、クラウドモニタリングシステム４０に結合されるネットワークに結合される。制御デバイス５０３はネットワークデバイス５０２に電気結合される。水素発生デバイス５００は、電気分解される水を収容するための水タンク５０００、電解セル５００２、及び、噴霧器５００４を更に備える。そこでは、電解セル５００２は、水を電気分解して、水素ガスを発生するように構成されることができ、噴霧器５００４は、霧状ガスを発生し、霧状ガスを水素ガスと混合して、ユーザが吸入するための混合ガスを発生することができる。
【００３２】
モニタリングデバイス５０１は、水素発生デバイス５００の状態を検出し、機械の状態に従って状態信号を発生または表示するように構成されることができる。状態信号は、水素生産情報、使用時間情報、及び水素濃度情報、噴霧器霧化レート情報、または水素発生器温度情報等を含むことができる。ネットワークデバイス５０２は、状態信号を含む機械情報Ｓ１をクラウドモニタリングシステム４０に選択的に送信することができる。実際には、ネットワークデバイス５０２は、或る時間または或る回数の使用後に機械情報Ｓ１を自動的に送信するように構成されることができる、または、ネットワークデバイス５０２は、送信するようにユーザによって指令される。制御デバイス５０３は、ネットワークデバイス５０２によってクラウドモニタリングシステム４０から運転パラメータを受信し、運転パラメータに従って水素発生デバイス５００を制御することができる。実際には、運転パラメータは、クラウドモニタリングシステム４０によって発生され送信され得る、または、ユーザによってモバイルデバイスを通してクラウドモニタリングシステム４０に送出され、その後、クラウドモニタリングシステム４０によって制御デバイス５０３に送信され得る。
【００３３】
上記で述べたように、水素発生器５０内に位置するモニタリングデバイス５０１は、ネットワークデバイス５０２を通してクラウドモニタリングシステム４０に機械状態をアップロードすることができるため、クラウドモニタリングシステム４０は、医療研究のために、機械情報をセーブし、機械情報のビッグデータ分析を実施することができる。一方、遠隔水素発生器５０は、クラウドモニタリングシステム４０を通して同様に操作されることができる。例えば、機械情報Ｓ１が異常情報を含むとき、クラウドモニタリングシステム４０によって制御デバイス５０３に送信される運転パラメータは、ターンオフまたは設定パラメータであり得る。運転パラメータを受信した後、制御デバイス５０３は、水素発生デバイス５００のターンオフプロシージャまたは設定プロシージャを実施し、それにより、機械の異常に対する障害物をなくすことができる。
【００３４】
さらに、図７に示すように、この実施形態の水素発生器５０は、匿名化を実施するための、ユーザの認証情報を発生するための、ユーザの生理的情報を発生するための、及びロケーション情報を発生するための、それぞれ、匿名化デバイス５０４、認証入力デバイス５０５、生理的情報入力デバイス５０６、及び位置決めデバイス５０７を更に備える。この実施形態の匿名化デバイス５０４、認証入力デバイス５０５、生理的情報入力デバイス５０６、及び位置決めデバイス５０７の機能は、上記特定の実施形態の対応するデバイスの機能と実質的に同じであり、したがって、再び述べられない。図７の水素発生器５０が上記デバイスの全てを備えるが、実際のアプリケーションはそれに限定されず、上記デバイスの少なくとも１つが必要に応じて設けられ得ることが留意されるべきである。匿名化デバイス５０４は、クラウドモニタリングシステム４０によって実施される代わりに、水素発生器５０においてデータ匿名化を実施し、それにより、データプライバシーを確保する。匿名化デバイス５０４は、ユーザによってデータをイネーブルするかまたは識別するかを確認されることができる。例えば、匿名化デバイス５０４は、水素発生器５０によって発生される機械情報Ｓ１及び／または生理的情報Ｓ２に対して差分プライバシー法(ｄｉｆｆｅｒｅｎｔｉａｌ  ｐｒｉｖａｃｙ  ｍｅｔｈｏｄ)を利用し、その後、匿名化機械情報Ｓ１及び／または匿名化生理的情報Ｓ２をクラウドモニタリングシステム４０に送信することができる。
【００３５】
図８を再び参照されたい。図８に示すように、クラウドモニタリングシステム４０は、クラウド制御コンソール４００、一体化データベース４０２、遠隔送信デバイス４０４、位置モニタリングデバイス４０６、及びデータ分析デバイス４０８を備える。そこでは、遠隔送信デバイス４０４はクラウド制御コンソール４００に結合され、位置モニタリングデバイス４０６は一体化データベース４０２に結合され、データ分析デバイス４０８は一体化データベース４０２に結合される。一体化データベース４０２は、クラウド制御コンソール４００内に含まれることができる、または、上記特定の実施形態に示すように、クラウド制御コンソール４００に結合されることができる。
【００３６】
この実施形態において、クラウド制御コンソール４００は、ネットワークから複数の水素発生器５０の複数の機械情報Ｓ１を受信し、それを一体化データベース４０２に記憶することができる。遠隔送信デバイス４０４は、ネットワークを介して、複数の水素発生器５０の１つ、すなわち第１の水素発生器５０（図８の最も左の水素発生器５０等）に運転パラメータを送信するように構成されることができ、第１の水素発生器５０は、運転パラメータに従って、パワーオンプロシージャ、ターンオフプロセージャ、または設定プロシージャを実施することができる。位置モニタリングデバイス４０６は、それぞれの水素発生器５０の位置を表示または記録するように構成されることができる。実際には、水素発生器５０の位置決めデバイス５０７によって発生される位置決め信号は、機械情報Ｓ１内に含まれ、一体化データベース４０２に記憶されることができる。したがって、位置モニタリングデバイス４０６は、一体化データベース４０２から位置決め信号を受信し、位置決め信号に基づいて水素発生器５０の位置を表示することができる。他の実施形態において、機械情報Ｓ１は、水素発生器５０のネットワークアドレス情報を含む。位置モニタリングデバイス４０６は、ネットワークアドレス情報に基づいてそれぞれの水素発生器５０のロケーションを表示または記録することができる。データ分析デバイス４０８は、一体化データベース４０２から複数の機械情報を得、分析及び判断のために機械情報を使用することができる。
【００３７】
上記実施形態のクラウドモニタリングシステムは、ビッグデータ分析及び水素発生器の操作に加えて、水素発生器の設定をイネーブルするように構成されることができる。図９を参照されたい。図９は、本発明の別の実施形態によるクラウドモニタリングシステム６０及び水素発生器５０を示す機能ブロック図である。図９に示すように、特定の実施形態は、上記実施形態と異なり、この特定の実施形態のクラウドモニタリングシステム６０は、クラウド制御コンソール６００に結合されたオーダリングプラットフォーム６０８を備え、オーダリングプラットフォーム６０は、ユーザがオーダリング命令を入力するために構成される。オーダリング命令はクラウド制御コンソール４００に送信される。ユーザによって入力されるオーダー命令は、所定の位置に対応する所定の位置情報を含む。実際には、ユーザが、プラットフォーム６０の下の水素発生器５０にオーダーするとき、ユーザは、水素発生器５０がインストールされる位置、すなわち上記所定の位置を記入することができる。オーダリングプラットフォーム６０は、所定の位置に基づく所定の位置情報を有するオーダリング命令を送出することができる。この特定の実施形態の他のコンポーネントの機能及びタイプは、上記特定の実施形態の機能及びタイプと実質的に同じであり、したがって、再び述べられない。データ分析デバイスが図９に示されないが、特定の実施形態のクラウドモニタリングシステムが、機械情報のビッグデータ分析を実施するためのデータ分析デバイスを更に備えることができることが留意されるべきである。さらに、オーダリングプラットフォーム６０８は、パーソナルコンピュータ、スマートフォン、タブレット、または、有線または無線方式でクラウド制御コンソール６００と通信できる任意の入力デバイスであることができる。オーダリングプラットフォーム６０８及びクラウド制御コンソール６００が、水素発生器５０とクラウドモニタリングシステム６０との間の同じネットワークを通してまたは異なるネットワークを通して互いに通信することができることに留意されたい。
【００３８】
この実施形態において、クラウド制御コンソール６００が、オーダリングプラットフォーム６０８によって入力されるオーダリング命令を受信すると、オーダリング命令は、水素発生器５０の販売業者に転送されることができ、その後、販売業者は、水素発生器５０の１つ（第１の水素発生器５０）を、オーダリング命令において指定される所定の位置に配送する。実際には、オーダリング命令が、同様に、複数の水素発生器５０を同時にオーダーし、複数の所定の位置に対する配送を指定することができることに留意されたい。一実施形態において、クラウド制御コンソール６００は、第１の水素発生器５０の機械情報Ｓ１に対応する起動パラメータを発生することができ、遠隔送信デバイス６０４は起動パラメータを出力することになる。起動パラメータは、第１の水素発生器５０が起動プロシージャを実施するために構成されることができる。他の実施形態において、第１の水素発生器５０は、水素発生器５０の現在の位置を得るために位置決めデバイスを有する。クラウド制御コンソール６００は、第１の水素発生器５０の位置を所定の位置情報と比較することができる。第１の水素発生器５０の位置が所定の位置情報に対応する所定の位置に一致すると、クラウド制御コンソール６００は、第１の水素発生器５０の機械情報Ｓ１に対応する起動パラメータを発生することができる。遠隔送信デバイス６０４は、起動パラメータを出力することになり、起動パラメータは、第１の水素発生器５０に起動プロシージャを実施させるように構成されることができる。それにより、ユーザまたはインストーラによって実施される起動プロシージャのステップが省かれることができる。
【００３９】
この特定の実施形態において、遠隔送信デバイス６０４によって出力される起動パラメータは、第１の水素発生器５０とクラウドモニタリングシステム６０との間の同じネットワークを通して第１の水素発生器５０に送信されることができ、その後、水素発生器５０は、所定の位置に配達されると、起動プロシージャを直接実施する。他の実施形態において、遠隔送信デバイス６０４は、起動パラメータを、ユーザ（またはインストーラ）のモバイルデバイスに（例えば、テキストメッセージによって）またはオーダリングプラットフォームに（例えば、ウェブページメッセージとして）出力することができ、ユーザまたはインストーラは、起動パラメータを第１の水素発生器５０に再入力して、起動プロシージャを実施することができる。換言すれば、この特定の実施形態において、起動パラメータは、第１の水素発生器５０の起動コードまたは起動キーとして考えられることができる。
【００４０】
他の実施形態において、ユーザは、ユーザのモバイルデバイスによって遠隔送信デバイス６０４から起動パラメータを受信し記憶し、その後、モバイルデバイスにインストールされたアプリケーションを通して起動設定プロシージャを実施するように第１の水素発生器５０を遠隔制御することができる。換言すれば、ユーザは、モバイルデバイスを通して第１の水素発生器５０を遠隔で起動することができ、第１の水素発生器５０のパワーオンプロシージャ及びターンオフプロシージャさえも、モバイルデバイスを通して遠隔制御されることができる。同様に、上記実施形態で述べたように、モバイルデバイスは、第１の水素発生器５０に対して運転パラメータを受信し送信する機能を同様に有することができる；すなわち、第１の水素発生器５０の起動、パワーオン、ターンオフ、及び運転は、モバイルデバイスを通して遂行されることができる。障害者の場合、使用の便宜が高められることができる。
【００４１】
他の実施形態において、水素発生器５０が起動された後、ユーザは、遠隔デバイスまたはモバイルデバイス（携帯電話、タブレットコンピュータ、またはＰＣ）を通してクラウドモニタリングシステム６０に直接接続することができる。遠隔デバイスまたはモバイルデバイスは、第１の水素発生器５０を直接制御して、パワーオン、ターンオフ、及び運転のプロシージャを直接実施する。水素発生器５０の運転をよく知らない年長者の場合、家族の一員が、年長者が実施するのを遠隔で支援して、使用の便宜を高めることができる。このとき、遠隔デバイスまたはモバイルデバイスのインストール可能なアプリケーションは、ユーザが遠隔制御を実施するために遠隔デバイスまたはモバイルデバイス上で第１の水素発生器５０の運転または制御スクリーンを直接表示することができる。
【００４２】
オーダリング命令は、オーダリングプラットフォーム６０８を通して水素発生器５０をオーダーする、ユーザによって発生される命令である。したがって、オーダリング命令は、ユーザ情報及び所定の配達位置等の、オーダーするために必要とされる情報を含み得る。さらに、オーダリング命令は、本発明のクラウドモニタリングシステムをより工業的に有利にするために他の情報を含み得る。
【００４３】
１つの特定の実施形態において、一体化データベース６０２は、推薦者のリストを更に記憶することができ、ユーザがオーダリングプラットフォーム６０８を通してオーダー命令を入力するとき、オーダー命令は推薦者情報を含む。実際には、ユーザは、オーダリング命令に推薦者情報を含ませるために彼自身／彼女自身で推薦者情報を入力することができる、または、異なるオーダリングプラットフォーム６０８は異なる組込み式推薦者情報を有し、オーダリング命令が既に推薦者情報を含むため、ユーザはその情報を入力する必要はない。クラウド制御コンソール６００がオーダリング命令を受信すると、オーダリング命令内の推薦者情報は、一体化データベース６０２内の推薦者のリストと比較されて、推薦者利益情報を発生することができ、推薦者利益情報は、一体化データベース６０２に記憶され得る。したがって、実際には、推薦者は、水素発生器５０が販売されると部分的利益を計上することができるため、本発明の水素発生器を推奨するようにより動機付けされ、そのことが、その商業的効果を促進することができる。
【００４４】
他の実施形態において、一体化データベース６０２は、販売業者リストを更に記憶することができ、ユーザがオーダリングプラットフォーム６０８を通してオーダー命令を入力するとき、オーダー命令は販売業者情報を含む。同様に、ユーザは、オーダリング命令に販売業者情報を含ませるために彼自身／彼女自身で推薦者情報を入力することができる、または、異なるオーダリングプラットフォーム６０８は異なる組込み式販売業者情報を有し、オーダー命令が既に推薦者情報を含むため、ユーザはその情報を入力する必要はない。例えば、ユーザは、販売業者の物理的ストアに直接行き、ストア内にセットされたオーダリングプラットフォームを通して水素発生器をオーダーすることができる。ストア内のオーダリングプラットフォームは、販売業者情報を含むオーダー情報を直接セットすることができ、ユーザは、情報を再びキー入力する必要はない。クラウド制御コンソール６００がオーダリング命令を受信すると、オーダリング命令内の販売業者情報は、一体化データベース６０２内の販売業者リストと比較されて、販売業者利益情報及び修理情報を発生し、それらの情報を一体化データベースに記憶することができる。したがって、実際には、販売業者は、水素発生器５０が販売されると利益の一部を計上することができ、後続の機械メンテナンスの責任を負うことができ、そのことが、その商業的効果を更に促進することができる。
【００４５】
さらに、別の実施形態によれば、本発明のクラウドモニタリングシステムは複数の水素発生器をモニターするように構成されることができる。この特定の実施形態のクラウドモニタリングシステムは、一体化データベース、オーダリングプラットフォーム、クラウド制御コンソール、遠隔送信デバイス、及び位置モニタリングデバイスを備え得る。そこでは、クラウド制御コンソールはオーダリングプラットフォームに結合され得、遠隔送信デバイスはクラウド制御コンソールに結合され、位置モニタリングデバイスは一体化データベースに結合される。一体化データベースは、利益パーソンリストを含むまたは記憶し得、利益パーソンリストは、推薦者リスト、販売業者リスト、またはその両方であり得る。
【００４６】
この実施形態において、ユーザは、オーダリングプラットフォームを通してオーダリング命令を入力して、第１の水素発生器（すなわち、クラウドモニタリングシステムによってモニターされる複数の水素発生器のうちの１つの水素発生器）を購入することができる。オーダリング命令は、所定の位置情報または特定の利益パーソン情報を含むことができる。所定の位置情報は、ユーザが第１の水素発生器を配送したいと思う位置の情報であり、特定の利益パーソン情報は、推薦者情報、販売業者情報、またはその両方である。クラウド制御コンソールは、オーダリングプラットフォームからユーザによって入力されるオーダリング情報を受信し、オーダー情報に従って第１の水素発生器の起動パラメータを発生する。遠隔送信デバイスは、クラウド制御コンソールから起動パラメータを受信し出力することができる。第１の水素発生器は、起動パラメータに従って設定プロシージャを実施することができるため、ユーザは第１の水素発生器を使用して開始できる。
【００４７】
この特定の実施形態において、ユーザによってオーダーされる第１の水素発生器が所定の位置情報、すなわち、ユーザによって指定される位置に達すると、起動設定プロシージャが開始される。詳細には、クラウド制御コンソールは、第１の水素発生器の位置決め信号を受信することによって第１の水素発生器の現在の位置を得ることができ、位置モニタリングデバイスによって現在の位置を表示し、その後、第１の水素発生器の現在の位置を所定の位置情報と比較することができる。第１の水素発生器の現在の位置が所定の位置情報に対応する所定の位置に一致するとき、クラウド制御コンソールは、第１の水素発生器に起動設定プロシージャを実施させるために起動パラメータを出力するように遠隔送信デバイスを制御する。遠隔送信デバイスは、異なる方法で起動パラメータを出力することができる。例えば、遠隔送信デバイスは、ショートメッセージ方式でモバイルデバイスに起動パラメータを送信することができる、または、起動パラメータをオーダリングプラットフォームに送信し、起動パラメータをオーダリングプラットフォームのウェブページ上に提示することができる。したがって、ユーザまたはインストーラは、起動パラメータを知り、その後、第１の水素発生器に起動設定プロシージャを実施させるために起動パラメータを入力することができる。実際には、遠隔送信デバイスは、同様に、起動パラメータを第１の水素発生器に直接送信して、第１の水素発生器が所定の位置にあるときに起動設定プロシージャを実施し得る。
【００４８】
上記で述べたように、この特定の実施形態の一体化データベースは利益パーソンリストを記憶することができ、オーダリングプラットフォームを通してユーザによって入力されるオーダー命令は、特定の利益パーソン情報を同様に含むことができる。したがって、オーダリング命令を受信した後、クラウド制御コンソールは、第１の水素発生器の配達及び起動を達成するだけでなく、異なる利益モードも達成する。
【００４９】
１つの特定の実施形態において、ユーザは、オーダリングプラットフォーム上で推薦者情報を入力することができる。例えば、こうした水素発生器を推薦する医師に関する情報は、特定の利益パーソン情報として使用される。クラウド制御コンソールは、オーダリング命令を受信すると、推薦者情報を一体化データベース内の推薦者リストと比較する。推薦者情報に対応する推薦者が推薦者リストに記載されているという比較結果である場合、クラウド制御コンソールは、相応して推薦者情報に従って利益パーソン情報を発生し得る。実際には、推薦者利益情報に従って、利益の一部が、第１の水素発生器を販売する推薦者に与えられることができるため、推薦者は、よりよい商業的効果を達成するために水素発生器を販売する動機を有する。
【００５０】
他の実施形態において、ユーザは、オーダリングプラットフォーム上で、特定の利益パーソン情報として、販売業者情報、例えば、水素発生器を販売するストアまたはエージェントを入力することができる。クラウド制御コンソールは、オーダリング命令を受信すると、販売業者情報を一体化データベース内の販売業者リストと比較することになる。販売業者情報に対応する販売業者が販売業者リストに記載されているという比較結果である場合、クラウド制御コンソールは、販売業者情報に従って販売業者利益情報を発生し得る。実際には、販売業者利益情報に従って、第１の水素発生器を販売することによって得られる利益分配が販売業者に与えられることができる。さらに、第１の水素発生器に対応する販売業者情報は一体化データベースに同様に記憶されることができる。第１の水素発生器が将来故障する場合、販売業者は、修理利益を得るために直接修理することができる。したがって、販売業者は、よりよい商業的結果を達成するために水素発生器を奨励する動機を有する。
【００５１】
他の実施形態において、ユーザは、オーダリングプラットフォーム上で販売業者情報及び推薦者情報を同時に入力することができる。例えば、水素発生器を販売するストアまたはエージェントまたはこうした水素発生器を推薦する医師の上記で述べた情報は特定の利益パーソン情報として使用される。クラウド制御コンソールは、オーダリング命令を受信すると、販売業者情報をデータベース内の販売業者リストと比較し、推薦者情報を推薦者リストと比較することになる。同様に、販売業者情報に対応する販売業者が販売業者リストに記載されており、推薦者情報に対応する推薦者が推薦者リストに記載されているという比較結果である場合、クラウド制御コンソールは、販売業者情報及び推薦者情報に従って販売業者利益情報及び推薦者利益情報を発生し得る。実際には、販売業者利益情報及び推薦者利益情報に従って、第１の水素発生器を販売することによって得られる利益分配の一部が販売業者に与えられ、他の部分が推薦者に与えられる。したがって、販売業者及び推薦者は、よりよい商業的結果を達成するために水素発生器を奨励する動機を有する。
【００５２】
要約すると、本発明のクラウドモニタリングシステムは、複数の異なる利益共有モードを達成できるため、推薦者、販売業者、及びクラウドモニタリングシステムは、それらの間で協働することができ、それが、水素発生器または他の同様の電子製品の販売高を改善しかつ完全な販売後サービスを提供する。
【００５３】
従来技術と比較して、本発明の水素発生器のクラウドモニタリングシステムは、水素発生器の機械情報及びユーザの生理的情報を使用して、ビッグデータ分析を実施する。データの戻し及び分析を通して、データは、業界において最も効率的に使用されることになる。市場の他の水素発生器と比較して、本発明の水素発生器のクラウドモニタリングシステムは、水素発生器の安全性を増すだけでなく、個人化されたサービスプロジェクトを提供し、学術的価値を有する。
【００５４】
上記で述べた例及び説明によって、本発明の特徴及び趣旨は、願わくはきちんと説明される。より重要なことには、本発明は、本明細書に述べる実施形態に限定されない。本発明の教示を保持しながら、デバイスの多数の修正及び変更が行われ得ることに当業者は容易に気付くであろう。したがって、上記開示は、添付特許請求項の範囲によってのみ制限されると解釈されるべきである。
【図１】
2020014848.tif 000003
【図２】
2020014848.tif 000004
【図３】
2020014848.tif 000005
【図４】
2020014848.tif 000006
【図５】
2020014848.tif 000007
【図６】
2020014848.tif 000008
【図７】
2020014848.tif 000009
【図８】
2020014848.tif 000010
【図９】
2020014848.tif 000011
【外国語明細書】
2020014848000001.pdf